(57)【特許請求の範囲】
【請求項１】
天面が磁性材料でなる蛍光灯装置の内部に収容固定され、内部に電気回路を収容した長尺直方体状のケースを具備した蛍光灯用インバータ装置であって、
前記蛍光灯装置の天面と対面するケースの取付平面(1f)の長手方向両端部分中央に磁石(4)を組込んだ吸着部材(10)を配してなり、前記吸着部材(10)が、吸着面(4a)矩形の一定厚みの磁石(4) と、吸着面の反対面並びに該磁石の第１の一対の対向側面を覆う断面コ字状の板状磁性材でなり、前記反対面と接する平面部分で磁石の第２の対向側面側の夫々の縁部の略中央部には突出片(3a)が形成されたヨーク(3) とで構成されており、
前記取付平面(1f)には両端に前記吸着部材(10)に対応してこの吸着部材の吸着面が突出可能な貫通矩形孔(1e)と、該矩形孔(1e)のケース端部側の辺ならびに対向辺の双方に下方に向かって延びる弾性舌片(1a),(1c) が形成されていて、夫々の弾性舌片(1a),(1c) には前記突出片(3a)が遊嵌状態に保持される係止矩形孔(1b),(1d) が形成されており、
前記吸着部材(10)が前記矩形孔(1e)に嵌入され係止矩形孔(1b),(1d) に保持されていて上昇位置では吸着面(4a)が取付平面(1f)より突出可能であり、また一定位置まで下降可能な遊嵌状態に固定されていることを特徴とする蛍光灯用インバータ装置。
【請求項２】
前記吸着部材(10)の吸着面(4a)が全方向に傾斜可能に取付け固定されている請求項１に記載の蛍光灯用インバータ装置。
【請求項３】
前記吸着部材(10)の略中央部に上下方向に貫通した取付補助穴(12)を設けてなる請求項１又は２に記載の蛍光灯用インバータ装置。
【発明の詳細な説明】
【０００１】
【発明の属する技術分野】
本発明は、主に天井に設置される蛍光灯装置の内部に取付けられて蛍光管を点灯駆動するための蛍光灯用インバータ装置に関する。
【０００２】
【従来の技術】
省電力の照明器具として蛍光灯が広く普及している。特に、大規模店舗や事業所ではその大部分が照明には天井に取り付けられた蛍光灯装置を用いている。高照度を必要とする場合には長さ約２．４ｍの１１０Ｗの直管形を２本組にして平行に取り付けた蛍光灯装置を天井に適宜間隔で複数個を設置して必要な照度を得るようにしている。天井に組み込まれる蛍光灯装置の数は大規模店舗等ではフロアーあたり２００  〜３００  個になる。
【０００３】
個々の蛍光灯装置は蛍光管を駆動する点灯回路を備えているが、近年では省エネルギー性その他の利点から発振回路で生成された高周波数の駆動電流で蛍光管を点灯させるインバータ装置が多く使われている。図８と図９（ａ）  は、インバータ装置を内蔵した蛍光灯装置（７）  とその取付け状態の一例を説明する図である。図に示すように、多くの場合蛍光灯装置の鉄板製で長尺矩形の板状基体がねじで天井（６）  に取付けられている。
【０００４】
この板状基体には中央部に鉄板製で断面矩形状で下方に向けて開口している長尺のステー（５）  が取付けられており、このステー（５）  の溝内部にインバータ装置（２０）が固定収容されている。インバータ装置（２０）には商用電源が接続されるとともに出力が２本の蛍光管（８）  それぞれの両端のフィラメント（電極）に接続されている。板状基板の両端部には蛍光管（８）  の両端の電極部と係合するソケット（１１）が２組取付けられており下面全体は反射板を兼ねたカバー（９）  によって覆われている。
【０００５】
図９（ｂ）  に、異なった形態の蛍光灯装置の取付状態を示す。各符号は図９（ａ）  のものと対応している。この場合もインバータ装置（２０）は薄い鉄板製のステー（５）  に固定されている。
【０００６】
図１０にインバータ装置の一例を下面側から見た外観図で示す。図のインバータ装置（２０Ｂ）  は金属製のシャーシ（１）  及びカバー（２）  から構成された一般的なほぼ箱形状のケースとこのケース内部に収容された電気回路から構成されている。シャーシ（１）  の両端は箱状部分から突出するように構成されていてこの突出板状部に設けられた取付孔（１２Ａ），（１２Ａ）  を利用して板状基体のステー部にネジ等で固定される。突出板状部には外部との電気接続のためにコネクタが配設されている。
【０００７】
インバータ装置の電気回路については、例えば本出願人による特許第２７５６５４０号の公報に回路構成や動作等が技術開示されているように、商用電源を供給して直流電源を得てこれをスイッチングして高周波数・高電圧の出力をトランスを介して取り出し蛍光管へ供給してフィラメントの余熱と点灯を行うようになっている。
【０００８】
ところで、インバータ装置は蛍光管と同様に一定の寿命を持った消耗部品であり、蛍光灯装置を長期間使用する間には何度かの交換作業が伴う。また、新しい機能を備えたインバータ装置や、より省電力化を達成した改良されたインバータ装置が提供された場合にはインバータ装置のみをより性能がよいものに交換し電力消費の節約等をはかる場合も多い。従って、蛍光灯照明装置ではしばしばインバータ装置を交換する必要が生じる。少なくとも装置保守のため一定頻度（例えば３年毎に）インバータ装置の交換が行われる。
【０００９】
上述したインバータ装置の交換には、既に照明器具内に取付けられているインバータ装置を取り外して新たなインバータ装置を取付固定しなければならないが、既設の照明装置に対してのインバータ交換作業はかなりの熟練を要してなお且つ時間のかかる作業となっている。即ち、既設照明装置は当然ながら全て天井に取付けられているから大型店舗等では床面から５ｍ以上の高さに位置しており、足場を組んだり大型の脚立を使っての作業となり、しかも全てが下からの上面に向かっての悪条件の作業となる。
【００１０】
従来のインバータ装置は、固定構造として端部の取付用貫通孔を利用してのねじ止めであるため、交換作業は下穴を開ける必要があったりして多くの工程と多数の工具・部品を使用して行われており、一般には足場の悪い高所での作業なことでもありインバータ装置交換作業はかなりの時間を費やす作業であった。また、電気ドリルによる孔開け作業等ではある程度の力を加える必要があり危険も伴う。
【００１１】
【発明が解決しようとする課題】
本発明は上述したように、従来の蛍光灯用インバータ装置の交換作業は時間がかかり多少なりと危険も伴い緊張を要する作業である点に鑑みてなされたもので、短時間で交換作業を行えてしかも強い力も不要で容易に行えて作業時の危険もより少なくなる新規な取付け構造を有した蛍光灯用インバータ装置を提案し、もって交換作業の時間短縮と危険軽減に寄与することを目的としている。
【００１２】
【課題を解決するための手段】
本発明は、下記の蛍光灯用インバータ装置を提供することにある。
【００１３】
即ち、本発明は、天面が磁性材料でなる蛍光灯装置の内部に収容固定され、内部に電気回路を収容した長尺直方体状のケースを具備した蛍光灯用インバータ装置であって、
前記蛍光灯装置の天面と対面するケースの取付平面(1f)の長手方向両端部分中央に磁石(4)を組込んだ吸着部材(10)を配してなり、前記吸着部材(10)が、吸着面(4a)矩形の一定厚みの磁石(4) と、吸着面の反対面並びに該磁石の第１の一対の対向側面を覆う断面コ字状の板状磁性材でなり、前記反対面と接する平面部分で磁石の第２の対向側面側の夫々の縁部の略中央部には突出片(3a)が形成されたヨーク(3) とで構成されており、
前記取付平面(1f)には両端に前記吸着部材(10)に対応してこの吸着部材の吸着面が突出可能な貫通矩形孔(1e)と、該矩形孔(1e)のケース端部側の辺ならびに対向辺の双方に下方に向かって延びる弾性舌片(1a),(1c) が形成されていて、夫々の弾性舌片(1a),(1c) には前記突出片(3a)が遊嵌状態に保持される係止矩形孔(1b),(1d) が形成されており、
前記吸着部材(10)が前記矩形孔(1e)に嵌入され係止矩形孔(1b),(1d) に保持されていて上昇位置では吸着面(4a)が取付平面(1f)より突出可能であり、また一定位置まで下降可能な遊嵌状態に固定されていることを特徴とする蛍光灯用インバータ装置にある。
【００１４】
前記吸着部材(10)の吸着面(4a)は、全方向に傾斜可能に取付け固定されていることが好ましい。
【００１５】
前記吸着部材(10)の略中央部に上下方向に貫通した取付補助穴(12)を設けることが好ましい。
【００１６】
【発明の実施の形態】
本発明の蛍光灯用インバータ装置は、アルミ等の金属板によって中空の長尺直方体形状にケースを形成して内部に適宜の電気回路を収容固定し、取付面となる上部の取付平面の両端部分中央部に２個の吸着部材を固定する。
【００１７】
吸着部材は一定厚の板状磁石とこの磁石の片面と密着して側面部を覆い磁気回路を構成する軟鉄板等の磁性材料でなるヨーク（磁気枠）で構成し、ヨークの無い面（吸着面）が使用時に上側になるように取付ける。磁石は円筒形或いは矩形板状等で良く、厚み方向に磁化されたものを用いる。装置のケースは鉄の薄板でも良いが磁性体の必要はなくアルミ等の金属板を用いると軽量で好適である。
【００１８】
このインバータ装置は蛍光灯装置には磁性材料で構成された天面に装置内側から吸着部材の磁気吸着力のみで固定保持が可能で、単に天板の所定取付位置に合わせて下方から接近させれば自然と吸着されて取付けが完了する。工具の類は全く必要としない。近年のインバータ装置はコイル類が小形で足りるためアルミのケースを採用すると  ５００グラム程度と軽量で磁石の吸着力で実用上充分な固定力を得ることができる。
【００１９】
また、本インバータ装置は取付使用後に使用適正期間が経過して交換する際にも撤去は簡単で単に両手または片手で側面を持って吸着力以上の力を加えれば良い。工具等は一切不要である。側方向に力を入れて捩じるようにしても良く取付平面の一方の側辺が支点となり回転しながら天板から容易に徐々に離れる。
【００２０】
吸着部材は取付平面と同一面となるようにケースに固着しても良いが、遊嵌状態にあそびを持たして嵌合固定させても良い。即ち、吸着面が取付平面より上側に突出することも可能で装置内まで後退も可能で回動も自由に取付けると後述するように取付状態が良好であり、また作業性も良い。
【００２１】
吸着部材の略中央部に貫通孔を設けても良く、この貫通孔を利用して取付対象が非磁性体の場合に従来同様のネジによる取付けが行えるし、吸着固定する場合であっても更に補強的にネジ止めを併用することができる。
【００２２】
【実施例】
以下、本発明について実施例を挙げて図面を用いて詳細に説明する。図１の各図は本発明の蛍光灯用インバータ装置の一実施例を説明する図であり、図１（ａ）  は装置の長手方向半分を示した側面図であり、図１（ｂ）  は端面図、図１（ｃ）  は図１（ａ）  のＹ−Ｙ  線での断面図、図１（ｄ）  は下面図である。また、図２の（ａ）  〜（ｅ）  は、装置筐体を構成するシャーシ及びその細部を説明する説明図、図３はシャーシと組合わさるカバーの説明図、図４（ａ）  ，（ｂ）  は装置に使われる磁石を示す説明図、図５（ａ）  〜（ｃ）  は実施例装置のヨークの説明図である。
【００２３】
実施例のインバータ装置（２０）は、図１に示すようにシャーシ（１）  とカバー（２）  を係合させた長尺直方体状のケースとその内部に収容された電気回路部（図示せず）により構成されている。蛍光灯装置の天面（上部面）に内側から対面するシャーシ（１）  の上面（１ｆ）即ちインバータ装置の取付平面の長手方向の両端部分それぞれには幅方向中央部分に磁石（４）  をヨーク（３）  に組込んだ吸着部材（１０）が設けられている。
【００２４】
吸着部材（１０）は、図５に詳細を示すヨーク（３）  に図４（ａ）  に示す永久磁石（４）  を収容して磁気回路が構成されていて吸着面（４ａ）で強い吸着力を得ている。図４（ａ）  の磁石（４）  は材質はフェライトで幅１５ｍｍ・長さ２０ｍｍ・厚み  ５ｍｍ程度の偏平な直方体（板状矩形）で厚み方向に磁化されていて、吸着面の略中央に厚み方向に直径  ５ｍｍの貫通孔（４ｂ）が設けられている。なお、磁石の材質・寸法は使用温度範囲で所定の磁力（吸着力）が得られれば良く他の材質を用いても良い。
【００２５】
ヨーク（３）  は図５に示す様に断面コ字状の板状磁性材例えば軟鉄製で、上記磁石の吸着面の反対面を覆う背部と磁石の長さ方向の対向側面を覆う２つの脚部（３ｂ）が一体に折り曲げ形成されている。また、背部には磁石の第２の対向側面側の夫々の縁部の略中央部に幅  ７ｍｍで突出長さ  １ｍｍの突出片（３ａ）が２つ形成されている。また、背部の中心部には貫通孔（３ｃ）が形成されている。このヨーク（３）  のコ字状溝に磁石（４）  が接着剤を併用して収容・固定されて吸着部材（１０）が形成され脚部（３ｂ）の先端部付近で強い吸着力を発生する。
【００２６】
なお、磁石の貫通孔（４ｂ）とヨークの貫通孔（３ｃ）は対応位置にあり組み合わせ状態では吸着部材（１０）の略中央部で上下方向に貫通する孔となり取付補助穴（１２）として利用することができる。また、磁石に異なる形状、例えば図４（ｂ）  に示すように短寸円筒形の磁石（４Ａ）を用いる場合にはヨークの形状もこれと対応させる。
【００２７】
この吸着部材（１０）は、シャーシ（１）  の両端に後述するシャーシから延びた一対の弾性舌片（１ａ），（１ｃ）  によって回動自在に遊嵌状態で取付け固定されていて、吸着面（４ａ）は上下に移動可能で蛍光灯用インバータ装置（２０）の取付平面（１ｆ）より上側にまで突出可能でまた装置内方向に後退も可能であり、しかも吸着面が全方向に傾斜可能（首振り可能）になっている。
【００２８】
次に図２の各図に従い上述の吸着部材（１０）に対応したシャーシ（１）  の構造を説明する。図２（ａ）  はシャーシ（１）  の側面図、（ｂ）  は端面図、（ｃ）  は下面図、（ｄ）  は端部（Ｘ部分）の側面拡大図、（ｅ）  は弾性舌片（１ａ），（１ｃ）  を説明する（Ｚ）部分の拡大図である。シャーシ（１）  はアルミ板材を所定形状に打ち抜き加工したのち取付平面（１ｆ）の周囲を折り曲げ加工する等により形成されている。アルミ材は軽量で放熱効果も良く本用途には好適である。
【００２９】
シャーシの上面すなわち取付平面（１ｆ）にはその両端に吸着部材（１０）に対応してこの吸着部材の先端面（吸着面）が突出可能な貫通矩形孔（１ｅ）と、該矩形孔のケース端部側の辺部ならびにこれと対向する辺部の双方に下方に向かって延びる弾性舌片（１ａ）及び（１ｃ）が平行に対向して突出するように折り曲げ形成されている。両弾性舌片（１ａ），（１ｃ）  の対向間隔は前述したヨーク（３）  の背部の（突出片を除いた）幅にほぼ一致させてある。
【００３０】
夫々の弾性舌片（１ａ），（１ｃ）  には前記突出片（３ａ）が嵌入され吸着部材が保持される係止矩形孔（１ｂ），（１ｄ）  が所定高さ位置に対向して形成されている。この係止矩形孔は突出片（３ａ）の幅より僅かに広くまた厚みよりも大きく開口している。
【００３１】
実施例では、シャーシの素材が厚さ  １ｍｍのアルミ板で内側の弾性舌片（１ｃ）は幅２０ｍｍ程度で突出長さ１１ｍｍに形成してあり吸着部材（１０）を嵌め込むのに充分な弾性を実現しており且つ嵌め込み後は簡単にはずれることも無く吸着部材を保持することができる。外側の弾性舌片（１ａ）はあまり弾性を有していなくとも良い。一般に対向する舌片のうち少なくとも一方が一定以上の弾性を有していれば機能的には足りる。
【００３２】
実施例のシャーシは、一枚の金属板の打ち抜き加工及び曲げ加工のみで所望の吸着部材の保持部分を含めて形成でき安価に製造できる。また、吸着部材の取付け工程も単に吸着部材を斜めにして一方の突片（３ａ）を外側の弾性舌片（１ａ）の貫通孔（１ｂ）に挿入してから内側の弾性舌片（１ｃ）の先端側から指等で力を加えるだけで内側の弾性舌片（１ｃ）が弾性変形してしなり容易に残る突片（３ａ）が貫通孔（１ｄ）に嵌まり込む。従って、取付けも道具も必要なく組立て時間も殆どかからない。
【００３３】
シャーシに組み込まれた吸着部材（１０）は前記係止矩形穴（１ｂ），（１ｄ）  に遊嵌状態で嵌入されていて、上昇位置ではその吸着面がシャーシの取付平面より突出可能でありまた一定位置まで下降可能に嵌合固定されていて首振り動作も自在で吸着面は全方向に傾斜できる。
【００３４】
蛍光灯装置の内部に吸着固定されるとインバータ装置の吸着部材を除いた部分は貫通孔（１ｂ），（１ｄ）  の上端が吸着部材の突片（３ａ），（３ａ）  に当接することで支えられる。装置の上下方向のおどりを無くす必要があれば吸着部材の下側に適度の復元力を持ったバネ板を貫通孔の間にわたして介在させて一定の付勢力で装置を下方に押す構造を取ることもできる。
【００３５】
シャーシ（１）  に所定のインバータ回路を組み込んだのち、図３に示したカバー（２）  をケースの４ヵ所の係止手段（２ａ）をシャーシの係止手段（１ｇ）に嵌め込み取り付けることでインバータ装置が完成する。なお、インバータ回路と電源や蛍光灯電極との接続は、カバー（２）  の端部よりも外方にまで突出した電子回路基板上のコネクタを介して行う。
【００３６】
次にこのインバータ装置の蛍光灯装置への交換取付け作業について説明する。先ずインバータ装置を交換すべき蛍光灯装置の蛍光管及び反射板（カバー）を取り去って、内部のステー（１２）を露出させる。ステー（１２）には一般に鉄材が用いられている。続いて古いインバータ装置を取り外す。
【００３７】
そして、実施例のインバータ装置をステー（１２）の下側面（すなわち装置の天面）の所定位置に合わせて下方から近づければ両端の吸着部材の吸着力によってインバータ装置はそのままステー（１２）の天面に固定される（図６（ａ）  参照）。後は電気配線をインバータ装置のコネクタに接続すれば交換は終わりで、反射板等を戻して工事は完了する。
【００３８】
実施例装置は、吸着部材が装置幅方向の中央部にあり取付時には僅かに突出するようになっており、しかも一定範囲で言わば首振りすることで吸着面が傾斜可能であるため、装置を取付ける面が捩じれていてインバータ装置の両端で異なる傾斜となっていたり加工孔があってバリ等が局部的に突出している部分が残っているような場合でも取付面に順応して設計通りの吸着力を発揮することができる。
【００３９】
比較のために挙げる図７（ａ）  にて示す装置、すなわち吸着面が固定的に取付面と同一平面にある装置（２０Ａ）  の場合には取付天面が凹状に湾曲している場合には吸着面部分が密着せず吸着力が弱まってしまう。また取付天面に一部でも凸部があればこれにより装置が浮き上がってしまいやはり吸着面部分が天面に密着できず必要な吸着力が得られない場合が生じる。
【００４０】
更には、交換すべきインバータ装置も本実施例の装置である場合には、その取り外し作業も極めて簡単なものとなる。インバータ装置を露出させてコネクタから電気配線を外した後、単に装置をステーから引き離すだけで取外しは終わる。この時、装置を長手方向を軸として捩じれば簡単に外れる。
【００４１】
この際、図６（ｂ）  に示すように装置の片側のみが少しステーから離れた状態になった時でも吸着部材が回動してステーとの間隔を短く保つ結果、吸着力が急に減少するのを防ぎ装置は徐々に離れてゆき急激に外れることが無い。吸着面が固定的に取付面と同一平面にある図７（ｂ）  に示す装置の場合には、急に吸着力が無くなるために力余って装置をとり落とすことにもなりこれと比較して実施例装置は一段と安全・容易に取り外しが行える。
【００４２】
なお、実施例のインバータ装置は従来と同様に取付基部に対してネジ止め固定することもできる。吸着部材（１０）の中央には取付補助孔（１２）が設けられているためこの貫通孔を利用してネジ止めが可能である。従って、数は少ないが取付部が非磁性体金属あるいは非金属である場合には取付補助孔（１２）を使って従来通りのネジによる固定方法で対応することができる。
【００４３】
取付部が磁性体の場合でも取付補助孔（１２）を利用して従来通りのネジのみでの取付け方法を選択しても良く、先に吸着により固定した後に更に補強的にネジ止めを行う用い方をしても良い。
【００４４】
【発明の効果】
本発明に係る蛍光灯用インバータ装置は、両端部分中央に磁石を組込んだ吸着部材を具備しているから、蛍光灯装置内部天面に下から取付る作業が格段に容易且つ安全になる。特に吸着部材の吸着面を上側に突出させた構造では取付対象面の状態によらず安定した強固な取付けが達成できる。また本発明特有の弾性舌片を形成したシャーシと対応するヨークで構成した装置においては、取付天面に傾斜や湾曲等があっても安定した固定ができ又取り外しも行い易いという効果がある。吸着部材に取付補助穴を設けたものは使い勝手がより良好になる。
【図面の簡単な説明】
【図１】各図は本発明の蛍光灯用インバータ装置の一実施例を説明する図で、図１（ａ）  は装置の側面図であり、図１（ｂ）  は端面図、図１（ｃ）  は図１（ａ）  のＹ−Ｙ  線での断面図、図１（ｄ）  は下面図である。
【図２】各図は本発明に係るシャーシを説明する図で、図２（ａ）  は側面図、（ｂ）  は端面図、（ｃ）  は下面図、（ｄ）  はＸ部分の側面拡大図、（ｅ）  は（Ｚ）部分の拡大図である。
【図３】本発明に係るカバーの説明図である。
【図４】（ａ）  ，（ｂ）  は本発明に係る磁石の説明図である。
【図５】（ａ）  〜（ｃ）  は実施例装置のヨークの説明図である。
【図６】（ａ）  ，（ｂ）  は実施例装置の取付状態の説明図である。
【図７】（ａ）  ，（ｂ）  はインバータ装置の取付状態の説明図である。
【図８】インバータ装置を内蔵した蛍光灯装置の取付け状態の説明図である。
【図９】（ａ）  ，（ｂ）  はインバータ装置の取付状態を説明する断面図である。
【図１０】従来のインバータ装置の一例を示す下面からの外観図である。
【符号の説明】
（１ａ）…弾性舌片、
（１ｂ）…係止矩形孔、
（１ｃ）…弾性舌片、
（１ｄ）…係止矩形孔、
（１ｅ）…貫通矩形孔、
（１ｆ）…取付平面、
（３）  …ヨーク、
（３ａ）…突出片、
（４）  …磁石、
（４ａ）…吸着面、
（７）  …蛍光灯装置、
（１０）…吸着部材、
（１２）…取付補助穴、
（２０）…蛍光灯用インバータ装置。
【図１】
0003615669.tif 000002
【図２】
0003615669.tif 000003
【図３】
0003615669.tif 000004
【図４】
0003615669.tif 000005
【図５】
0003615669.tif 000006
【図６】
0003615669.tif 000007
【図７】
0003615669.tif 000008
【図８】
0003615669.tif 000009
【図９】
0003615669.tif 000010
【図１０】
0003615669.tif 000011